(57)【要約】【課題】固定洗浄ノズルの一部を食器に接離させる構成とすることにより、食器に付着した汚れを確実に剥離することができると共に食器を収容する食器受具を容易に洗浄槽内に配置せしめることができる食器洗い機を提供する。【解決手段】固定洗浄ノズル５の端部に、回動洗浄ノズル６の枢軸部６ａを支持しており、上面に円弧形の案内溝５ｂが設けられている円筒形の軸支部５ａを設けておき、前記枢軸部６ａの下面には前記案内溝５ｂに沿って案内される円弧形の突条６ｂを周設させ、回動洗浄ノズル６の一側面に、洗浄槽の壁面に連なる付勢部材を取着させた。【選択図】図２
2008048970.tif 000002
【特許請求の範囲】
【請求項１】
洗浄槽内に供給された水を循環させるポンプと、該ポンプから送られた水を噴射する固定洗浄ノズルとを備える食器洗い機において、
前記固定洗浄ノズルに支持されている枢軸部を有しており、前記ポンプから送水された場合に水圧により前記枢軸部が回動して前記洗浄槽の壁面から離間する方向に回動する回動洗浄ノズルを備えることを特徴とする食器洗い機。
【請求項２】
前記回動洗浄ノズルは筒形をなしており、軸端に突条が周設されている前記枢軸部を一端部に備え、前記固定洗浄ノズルは前記枢軸部を支持している筒形の軸支部を端部に備え、前記軸支部は、前記回動洗浄ノズルが前記壁面から離間する方向に回動する場合に前記突条を案内する案内溝を端面に備えることを特徴とする請求項１に記載の食器洗い機。
【請求項３】
前記固定洗浄ノズルは前記枢軸部を支持している筒形の軸支部を端部に備え、該軸支部の端面には突条が周設され、前記回動洗浄ノズルは筒形をなしており、前記枢軸部を一端部に備え、該枢軸部は、前記回動洗浄ノズルが前記壁面から離間する方向に回動する場合に前記突条を案内する案内溝を軸端に備えることを特徴とする請求項１に記載の食器洗い機。
【請求項４】
前記回動洗浄ノズルは前記壁面に接近する方向に回動させる付勢部材を備えることを特徴とする請求項１乃至３のいずれか１つに記載の食器洗い機。
【請求項５】
前記壁面に向けて下降しており、前記ポンプからの送水が終了した場合に前記突条が接触して下降する傾斜面を前記案内溝の底面に備えることを特徴とする請求項２に記載の食器洗い機。
【請求項６】
前記壁面に向けて下降しており、前記ポンプからの送水が終了した場合に前記突条に接触して下降する傾斜部を前記案内溝の底面に備えることを特徴とする請求項３に記載の食器洗い機。
【請求項７】
筐体の内部に設けられている洗浄槽と、該洗浄槽内に供給された水を循環させるポンプと、該ポンプから送られた水を噴射する固定洗浄ノズルとを備える食器洗い機において、
前記筐体の内部に設けられており正逆方向に回転するモータと、前記固定洗浄ノズルに支持されている枢軸部を有しており、該枢軸部の回動により回動する回動洗浄ノズルと、前記モータ及び枢軸部に連結しており、前記モータの回転を前記枢軸部に伝動し前記回動洗浄ノズルを回動させる伝動部材とを備えることを特徴とする食器洗い機。
【発明の詳細な説明】
【技術分野】
【０００１】
食器を収容する食器受具を容易に洗浄槽内に配置せしめ、且つ食器の洗浄を効果的に行う食器洗い機に関する。
【背景技術】
【０００２】
従来の食器洗い機にあっては、洗浄槽と、洗浄槽の内部に設けられている食器受具と、食器受具の下方に配設されている回転洗浄ノズルと、洗浄槽の壁面に設けられている固定洗浄ノズルとを備えていた。この食器洗い機は、洗浄工程及びすすぎ工程にて、回転洗浄ノズルの噴射口から水を食器の下面に向けて噴射し、固定洗浄ノズルの噴射口から水を食器の側面に向けて噴射して、食器に付着している汚れを剥離し、食器の洗浄を行っていた（特許文献１参照）。
【特許文献１】特開２００６ー６１４１２号公報
【発明の開示】
【発明が解決しようとする課題】
【０００３】
特許文献１に記載の食器洗い機においては、回転洗浄ノズルの噴射口から噴射された水は食器受具の下側に載置されている食器に当たり、回転洗浄ノズルの噴射口から離隔した位置にある食器受具の上側に載置されている食器には充分に当たらず、また固定洗浄ノズルの噴射口から噴射された水は食器受具の周縁付近に載置されている食器に当たり、固定洗浄ノズルの噴射口から離隔した位置にある食器受具の中央付近に載置されている食器には充分に当たらず、食器の汚れが剥離されない虞があった。
【０００４】
本発明は斯かる事情に鑑みてなされたものであり、固定洗浄ノズルに洗浄槽の壁面から離間する方向に回動可能な回動洗浄ノズルを設けることにより、該回動洗浄ノズルを食器に接近させた状態で水を噴射し、食器に付着した汚れを確実に剥離することができる食器洗い機を提供することを目的とする。
【０００５】
また前記回動洗浄ノズルに、洗浄槽の壁面に接近する方向に回動可能な手段を設けることにより、水の噴射を行わない場合には前記回動洗浄ノズルを洗浄槽の壁面に接近させて、前記回動洗浄ノズルが、食器受具の収納又は取出しの際に食器受具に接触することを防ぎ、食器受具の収納又は取出しを円滑に行うことができる食器洗い機を提供することを目的とする。
【課題を解決するための手段】
【０００６】
本発明に係る食器洗い機は、洗浄槽内に供給された水を循環させるポンプと、該ポンプから送られた水を噴射する固定洗浄ノズルとを備える食器洗い機において、前記固定洗浄ノズルに支持されている枢軸部を有しており、前記ポンプから送水された場合に水圧により前記枢軸部が回動して前記洗浄槽の壁面から離間する方向に回動する回動洗浄ノズルを備えることを特徴とする。
【０００７】
本発明においては、枢軸部を有する回動洗浄ノズルを固定洗浄ノズルに設けることにより、ポンプから送水された場合に水圧により前記枢軸部が回動して前記回動洗浄ノズルが洗浄槽の壁面から離間する方向に回動し、前記洗浄槽内部に収容されている食器に回動洗浄ノズルが接近する。
【０００８】
また本発明に係る食器洗い機は、前記回動洗浄ノズルは筒形をなしており、軸端に突条が前記枢軸部を一端部に備え、前記固定洗浄ノズルは前記枢軸部を支持している筒形の軸支部を端部に備え、前記軸支部は、前記回動洗浄ノズルが前記壁面から離間する方向に回動する場合に前記突条を案内する案内溝を端面に備えることを特徴とする。
【０００９】
本発明においては、回動洗浄ノズルの一端部に軸端に突条が周設されている枢軸部を設け、固定洗浄ノズルの端部に、前記突条を案内する案内溝を端面に備える軸支部を設けることにより、前記突条は前記案内溝を円滑に移動し、前記回動洗浄ノズルは円滑に回動する。
【００１０】
また本発明に係る食器洗い機は、前記固定洗浄ノズルは前記枢軸部を支持している筒形の軸支部を端部に備え、該軸支部の端面には突条が周設され、前記回動洗浄ノズルは筒形をなしており、前記枢軸部を一端部に備え、該枢軸部は、前記回動洗浄ノズルが前記壁面から離間する方向に回動する場合に前記突条を案内する案内溝を軸端に備えることを特徴とする。
【００１１】
本発明においては、固定洗浄ノズルの端部に、端面に突条が周設された軸支部を設け、回動洗浄ノズルの一端部に、軸端に前記突条を案内する案内溝を備える枢軸部を設けることにより、前記突条は前記案内溝を円滑に移動し、前記回動洗浄ノズルは円滑に回動する。
【００１２】
また本発明に係る食器洗い機は、前記回動洗浄ノズルは前記壁面に接近する方向に回動させる付勢部材を備えることを特徴とする。
【００１３】
本発明においては、回動洗浄ノズルに付勢部材を設けることにより、ポンプからの送水が終了した場合に前記回動洗浄ノズルは洗浄槽の壁面に向けて付勢され、前記壁面に接近する方向に回動する。
【００１４】
また本発明に係る食器洗い機は、前記壁面に向けて下降しており、前記ポンプからの送水が終了した場合に前記突条が接触して下降する傾斜面を前記案内溝の底面に備えることを特徴とする。
【００１５】
本発明においては、前記壁面に向けて下降している傾斜面を前記案内溝の底面に設けることにより、前記ポンプからの送水が終了した場合に前記突条が前記傾斜面に沿って下降し、回動洗浄ノズルは前記壁面に接近する方向に回動する。
【００１６】
また本発明に係る食器洗い機は、前記壁面に向けて下降しており、前記ポンプからの送水が終了した場合に前記突条に接触して下降する傾斜部を前記案内溝の底面に備えることを特徴とする。
【００１７】
本発明においては、前記壁面に向けて下降している傾斜部を前記案内溝の底面に設けることにより、前記ポンプからの送水が終了した場合に前記傾斜部が前記突条に接触して下降し、回動洗浄ノズルは前記壁面に接近する方向に回動する。
【００１８】
また本発明に係る食器洗い機は、筐体の内部に設けられている洗浄槽と、該洗浄槽内に供給された水を循環させるポンプと、該ポンプから送られた水を噴射する固定洗浄ノズルとを備える食器洗い機において、前記筐体の内部に設けられており正逆方向に回転するモータと、前記固定洗浄ノズルに支持されている枢軸部を有しており、該枢軸部の回動により回動する回動洗浄ノズルと、前記モータ及び枢軸部に連結しており、前記モータの回転を前記枢軸部に伝動し前記回動洗浄ノズルを回動させる伝動部材とを備えることを特徴とする。
【００１９】
本発明においては、伝動部材を介してモータと枢軸部とを連結することにより、前記モータの回転を前記枢軸部に伝動し、回動洗浄ノズルを回動させる。
【発明の効果】
【００２０】
本発明に係る食器洗い機においては、枢軸部を有する回動洗浄ノズルを固定洗浄ノズルに設けることにより、ポンプから送水された場合に水圧により前記枢軸部が回動して前記回動洗浄ノズルが洗浄槽の壁面から離間する方向に回動し、前記洗浄槽内部に収容されている食器に回動洗浄ノズルが接近する。したがって加圧された水を食器受具に載置されている食器に対して至近距離から噴射し、食器に付着した汚れを確実に剥離することができる。
【００２１】
また本発明に係る食器洗い機においては、回動洗浄ノズルの一端部に、軸端に突条が周設されている枢軸部を設け、固定洗浄ノズルの端部に、前記突条を案内する案内溝を端面に備える軸支部を設けることにより、前記突条は前記案内溝を円滑に移動するので、前記回動洗浄ノズルは速やかに食器に接近し、加圧された水を長時間食器に当てることができる。
【００２２】
また本発明に係る食器洗い機においては、固定洗浄ノズルの端部に、端面に突条が周設された軸支部を設け、回動洗浄ノズルの一端部に、軸端に前記突条を案内する案内溝を備える枢軸部を設けることにより、前記突条は前記案内溝を円滑に移動するので、回動洗浄ノズルは速やかに食器に接近し、加圧された水を長時間食器に当てることができる。
【００２３】
また本発明に係る食器洗い機においては、回動洗浄ノズルに付勢部材を設けることにより、ポンプからの送水が終了した場合に前記回動洗浄ノズルは洗浄槽の壁面に向けて付勢され、前記壁面に接近する方向に回動するので、食器受具の収納又は取出しの際に食器受具に回動洗浄ノズルが接触することを防ぎ、食器受具の収納又は取出しを円滑に行うことができる。
【００２４】
また本発明に係る食器洗い機においては、前記壁面に向けて下降している傾斜面を前記案内溝の底面に設けることにより、前記ポンプからの送水が終了した場合に前記突条が前記傾斜面に沿って下降し、回動洗浄ノズルは前記壁面に接近する方向に回動する。したがって食器受具の収納又は取出しの際に食器受具に回動洗浄ノズルが接触することを防ぎ、食器受具の収納又は取出しを円滑に行うことができる。
【００２５】
また本発明に係る食器洗い機においては、前記壁面に向けて下降している傾斜部を前記案内溝の底面に設けることにより、前記ポンプからの送水が終了した場合に前記傾斜部が前記突条に接触して下降し、回動洗浄ノズルは前記壁面に接近する方向に回動する。したがって食器受具の収納又は取出しの際に食器受具に回動洗浄ノズルが接触することを防ぎ、食器受具の収納又は取出しを円滑に行うことができる。
【００２６】
また本発明に係る食器洗い機においては、伝動部材を介してモータと枢軸部とを連結することにより、前記モータの回転を前記枢軸部に伝動し、回動洗浄ノズルを回動させる。したがって回動洗浄ノズルは必要に応じて食器受具に接近して、加圧された水を食器受具に載置されている食器に対し至近距離から当てて食器に付着した汚れを剥離することができる。また回動洗浄ノズルは洗浄槽の壁面に接近する方向に回動して、食器受具の収納又は取出しを行う際に回動洗浄ノズルが食器受具に接触することを防ぎ、食器受具の収納又は取出しを円滑に行うことができる。
【発明を実施するための最良の形態】
【００２７】
（実施の形態１）
以下本発明に係る食器洗い機を実施の形態１を示す図面に基づいて詳述する。図１は食器洗い機の要部構成を模式的に示す正面図、図２は食器洗い機の回動洗浄ノズルの枢軸部を模式的に示す正面部分断面図、図３は食器洗い機の付勢部材を拡大して示す模式図、図４は食器洗い機の回動洗浄ノズルの回動を示す説明図である。
【００２８】
図において、１は食器洗い機の外装を成す筐体であり、洗浄槽２が筐体１の内部に設けられ、洗浄槽２の内部には食器１８を載せる食器受具３が設けられている。食器受具３の下側には、噴射口２０、２０、・・・から食器に水を噴射する回転洗浄ノズル１３と、洗浄及びすすぎを行う場合に水を加熱する渦巻形状のヒータ４とが配置されている。
【００２９】
洗浄槽２の底部左側には洗浄槽２を窪ませてなる貯水タンク１４が設けられている。貯水タンク１４に水を給水する給水管１５が洗浄槽２の左側面部と筐体１との間に配設されており、給水管１５の一端部には給水弁１６が取着され、給水管１５の他端部は洗浄槽２の内部に向けて開口している給水口１７となっている。
【００３０】
筐体１の底部中央にはポンプ８及びポンプ８を駆動するモータ９が設けられており、貯水タンク１４の底部とポンプ８とが吸込み管７を介して連接されている。ポンプ８の上部には上側に延びる送水管１０が設けられており、送水管１０は前記回転洗浄ノズル１３及び後述する固定洗浄ノズル５に連なる送水ダクト１９に連設されている。またポンプ８の上部には筐体１の背面に向けて延設されている排水管１１が設けられており、排水管１１の先端開口は排水口１２となっている。
【００３１】
洗浄槽２の壁面には噴射口２１、２１・・・から水を噴射する固定洗浄ノズル５が設けられている。洗浄槽２の背面側の壁面にて左右方向に延設されている固定洗浄ノズル５の端部には後述する回動洗浄ノズル６の枢軸部６ａを支持する円筒形の軸支部５ａが設けられている。該軸支部５ａは上下方向を長手方向としており、上面に円弧形の案内溝５ｂが設けられている。
【００３２】
軸支部５ａの上側に回動洗浄ノズル６の一端部が支持されており、この一端部が円筒形の枢軸部６ａとなっている。枢軸部６ａの下面には円弧形の突条６ｂが周設されており、突条６ｂは案内溝５ｂに係合し、該案内溝５ｂに沿って案内される構成となっている。
【００３３】
図３に示す如く回動洗浄ノズル６は洗浄槽２の背面側の壁面に平行に位置しており、回動洗浄ノズル６の一側面が前記壁面に対向している。該一側面には弾性を有する付勢部材３０の一端が取着されており、付勢部材３０の他端は前記壁面に取着されている。また回動洗浄ノズル６の上面には噴射口２２、２２、・・・が設けられている。
【００３４】
次に実施の形態１に係る食器洗い機の運転について説明する。洗浄工程又はすすぎ工程にて、給水弁１６を開き、水を給水管１５に通して給水口１７から貯水タンク１４に水を供給する。貯水タンク１４に供給された水は、吸込管７を通ってポンプ８に送られる。ポンプ８に送られた水はモータ９の駆動により、送水管１０及び送水ダクト１９を経由して回転洗浄ノズル１３、固定洗浄ノズル５又は回動洗浄ノズル６に送られ、回転洗浄ノズル１３、固定洗浄ノズル５又は回動洗浄ノズル６の噴射口２０、２１又は２２から洗浄槽２の内部に向けて噴射される。洗浄槽２の内部に向けて噴射された水は、食器１８の表面に当たり食器表面に付着した汚れを剥離させる。
【００３５】
回動洗浄ノズル６はポンプ８から送水されると水圧により、図４で実線矢符にて示す如く洗浄槽２の背面側の壁面から離間する方向に回動する。このとき付勢部材３０は伸張し弾性復元力が発生する。前記壁面に対し略垂直な状態になると突条６ｂは案内溝５ｂの終端に当接し回動洗浄ノズル６は回動を停止する。回動洗浄ノズル６はポンプ８からの送水が終了すると付勢部材３０の弾性復元力により、図４で破線矢符にて示す如く前記壁面に接近する方向に回動する。このとき付勢部材３０は短縮し弾性復元力は減少する。回動洗浄ノズル６が前記壁面に接近すると付勢部材３０の弾性復元力は消滅し、回動洗浄ノズル６の回動は停止する。なお図４では付勢部材３０の記載を省略している。
【００３６】
水の噴射が終了するとモータ９が逆向きに駆動され、貯水タンク１４に溜まっている水は吸込管７を通りポンプ８に送られる。ポンプ８に送られた水は排水管１１を通り排水口１２から排水され、洗浄工程又はすすぎ工程が終了する。
【００３７】
実施の形態１に係る食器洗い機においては、枢軸部６ａを有する回動洗浄ノズル６を固定洗浄ノズル５に設けることにより、ポンプ８から送水された場合に水圧により前記枢軸部６ａが回動して前記回動洗浄ノズル６が洗浄槽２の壁面から離間する方向に回動し、前記洗浄槽２内部に収容されている食器１８に回動洗浄ノズル６が接近する。したがって加圧された水を食器受具３に載置されている食器１８に対して至近距離から噴射し、食器１８に付着した汚れを確実に剥離することができる。
【００３８】
また回動洗浄ノズル６の一端部に、軸端に突条６ｂが周設されている枢軸部６ａを設け、固定洗浄ノズル５の端部に、前記突条６ｂを案内する案内溝５ｂを端面に備える軸支部５ａを設けることにより、前記突条６ｂは前記案内溝５ｂを円滑に移動するので、前記回動洗浄ノズル６は速やかに食器１８に接近し、加圧された水を長時間食器１８に当てることができる。
【００３９】
また回動洗浄ノズル６に付勢部材３０を設けることにより、ポンプ８からの送水が終了した場合に前記回動洗浄ノズル６は洗浄槽２の壁面に向けて付勢され、前記壁面に接近する方向に回動するので、食器受具３の収納又は取出しの際に食器受具３に回動洗浄ノズル６が接触することを防ぎ、食器受具３の収納又は取出しを円滑に行うことができる。
【００４０】
また固定洗浄ノズル５又は回転洗浄ノズル１３への送水を所定時間が経過する度に切替える場合は、固定洗浄ノズル５へ送水されているときには回動洗浄ノズル６は水圧により前記壁面から離間する方向に回動し、回転洗浄ノズル１３へ送水されているときには回動洗浄ノズル６は付勢部材３０により前記壁面に接近する方向に回動する。したがって噴射の切替えに応じて回動洗浄ノズル６の回動の向きを変えることができる。
【００４１】
なお付勢部材３０としてはコイルばね、ゴムが挙げられる。また食器受具３を洗浄槽２内部にて左右に配置した場合には、回動洗浄ノズル６は上下に回動するように構成しても良い。また回動洗浄ノズル６と固定洗浄ノズル５とをヒンジを用いて結合させても良い。
【００４２】
（実施の形態２）
以下本発明を実施に形態２に係る食器洗い機を示す図面に基づいて詳述する。図５は食器洗い機の回動洗浄ノズルを模式的に示す右側面部分断面図、図６は固定洗浄ノズルの軸支部を模式的に示す斜視図である。
【００４３】
洗浄槽２の背面側の壁面に筒形の固定洗浄ノズル５が設けられており、該固定洗浄ノズル５の端部は回動洗浄ノズル６の枢軸部６ａを支持する円筒形の軸支部５ａとなっている。軸支部５ａの上面には円弧形の案内溝５ｂが周設されている。該案内溝５ｂの終端付近の底面には前記壁面に向かって下降している傾斜面５ｃが設けられており、傾斜面５ｃは突条６ｂの先端が接触する構成となっている。
【００４４】
回動洗浄ノズル６はポンプ８から送水されると水圧により、洗浄槽２の背面側の壁面から離間する方向に回動する。そして突条６ｂが案内溝５ｂの終端付近にて傾斜面５ｃに沿って上昇し、回動洗浄ノズル６は斜め上方向に上昇して回動する。そして突条６ｂは案内溝５ｂの終端に当接し、回動洗浄ノズル６の回動は停止する。ポンプ８からの送水が終了すると傾斜面５ｃに沿って突条６ｂが下降し、回動洗浄ノズル６は斜め下方向に下降する。突条６ｂは下降を終えると、慣性により案内溝５ｂの底面に沿って摺動し、回動洗浄ノズル６は前記壁面に接近する方向に回動する。そして突条６ｂが案内溝５ｂの始端に当接し、回動洗浄ノズル６は前記壁面に接近して回動を停止する。
【００４５】
実施の形態２に係る食器洗い機においては、洗浄槽２の背面側の壁面に向けて下降している傾斜面５ｃを前記案内溝５ｂの底面に設けることにより、前記ポンプ８からの送水が終了した場合に前記突条６ｂが前記傾斜面５ｃに沿って下降し、回動洗浄ノズル６は前記壁面に接近する方向に回動する。したがって食器受具３の収納又は取出しの際に食器受具３に回動洗浄ノズル６が接触することを防ぎ、食器受具３の収納又は取出しを円滑に行うことができる。
【００４６】
なお傾斜面５ｃは案内溝５ｂの底面全体に設けられていても良い。
【００４７】
実施の形態２に係る食器洗い機の構成の内、実施の形態１と対応する構成については同じ符号を付しその詳細な説明を省略する。
【００４８】
（実施の形態３）
以下本発明を実施の形態３に係る食器洗い機を示す図面に基づいて詳述する。図７は食器洗い機の回動洗浄ノズルを模式的に示す右側面部分断面図である。
【００４９】
洗浄槽２の背面側の壁面に筒形の固定洗浄ノズル５が設けられており、該固定洗浄ノズル５の端部は回動洗浄ノズル６の枢軸部６ａを支持する円筒形の軸支部５ａとなっている。軸支部５ａの上面には円弧形の突条５ｄが周設されている。該突条５ｄを案内する円弧形の案内溝６ｄが枢軸部６ａに周設されており、該案内溝６ｄの一方の終端付近の底には洗浄槽２の背面側の壁面に向かって下降している傾斜部６ｃが設けられており、傾斜部６ｃは突条５ｄの先端が接触する構成となっている。
【００５０】
回動洗浄ノズル６はポンプ８から送水されると水圧により、洗浄槽２の背面側の壁面から離間する方向に回動する。そして傾斜部６ｃが突条５ｄに当接して上昇し、回動洗浄ノズル６は斜め上方向に上昇して回動する。そして回動洗浄ノズル６は案内溝６ｄの終端に当接し回動を停止する。ポンプ８からの送水が終了すると傾斜部６ｃが突条５ｄに摺動して下降し、回動洗浄ノズル６は斜め下方向に下降する。回動洗浄ノズル６は下降を終えると、慣性により前記壁面に接近する方向に回動する。そして突条５ｄが案内溝６ｄの始端に当接し、回動洗浄ノズル６は前記壁面に接近して回動を停止する。
【００５１】
実施の形態３に係る食器洗い機においては、固定洗浄ノズル５の端部に、端面に突条５ｄが周設された軸支部５ａを設け、回動洗浄ノズル６の一端部に、軸端に前記突条５ｄを案内する案内溝６ｄを備える枢軸部６ａを設けることにより、前記突条５ｄは前記案内溝６ｄを円滑に移動するので、回動洗浄ノズル６は速やかに食器１８に接近し、加圧された水を長時間食器１８に当てることができる。
【００５２】
また前記洗浄槽２の壁面に向けて下降している傾斜部６ｃを前記案内溝６ｄの底面に設けることにより、前記ポンプ８からの送水が終了した場合に前記傾斜部６ｃが前記突条５ｄに接触して下降し、回動洗浄ノズル６は前記壁面に接近する方向に回動する。したがって食器受具３の収納又は取出しの際に食器受具３に回動洗浄ノズル６が接触することを防ぎ、食器受具３の収納又は取出しを円滑に行うことができる。
【００５３】
なお傾斜部６ｃは案内溝６ｄの底面全体に設けられていても良い。
【００５４】
実施の形態３に係る食器洗い機の構成の内、実施の形態１又は２と対応する構成については同じ符号を付しその詳細な説明を省略する。
【００５５】
（実施の形態４）
以下本発明を実施の形態４に係る食器洗い機を示す図面に基づいて詳述する。図８は食器洗い機の枢軸部付近を示す模式図である。
【００５６】
筐体１及び洗浄槽２の間であって回動洗浄ノズル６の近傍にモータ３３が配設されている。モータ３３はローラ３１に連結しており、モータ３３の駆動によりローラ３１が回転する構成となっている。回動洗浄ノズル６の近傍にて洗浄槽２の壁面に小孔２ａ、２ａが開設されている。該小孔２ａ、２ａを通して前記ローラ３１と枢軸部６ａとの間に伝動部材３２が掛架されており、ローラ３１の回転が枢軸部６ａに伝動する構成となっている。
【００５７】
洗浄工程又はすすぎ工程にて、回動洗浄ノズル６の噴射口２２、２２、・・・から水を噴射する場合には、モータ３３が正方向に回転する。モータ３３の正方向への回転によりローラ３１が回転し、ローラ３１の回転は伝動部材３２を介して枢軸部６ａに伝動し、回動洗浄ノズル６は洗浄槽２の壁面から離間する方向に回動する。
【００５８】
前記噴射口２２からの水の噴射が終了した場合には、モータ３３が逆方向に回転する。モータ３３の逆方向への回転によりローラ３１が回転し、ローラ３１の回転は伝動部材３２を介して枢軸部６ａに伝動し、回動洗浄ノズル６は前記壁面に接近する方向に回動する。
【００５９】
実施の形態４に係る食器洗い機においては、伝動部材３２を介してモータ３３と枢軸部６ａとを連結することにより、前記モータ３３の回転を前記枢軸部６ａに伝動し、回動洗浄ノズル６を回動させる。したがって回動洗浄ノズル６は必要に応じて食器受具３に接近して、加圧された水を食器受具３に載置されている食器１８に対し至近距離から当てて食器１８に付着した汚れを剥離することができる。また回動洗浄ノズル６は洗浄槽２の壁面に接近する方向に回動して、食器受具３の収納又は取出しを行う際に回動洗浄ノズル６が食器受具３に接触することを防ぎ、食器受具３の収納又は取出しを円滑に行うことができる。
【００６０】
なお、伝動部材３２としてはワイヤ、ベルトが挙げられる。
【００６１】
実施の形態４に係る食器洗い機の構成の内、実施の形態１乃至３と対応する構成については同じ符号を付しその詳細な説明を省略する。
【図面の簡単な説明】
【００６２】
【図１】実施の形態１に係る食器洗い機の要部構成を模式的に示す正面図である。
【図２】実施の形態１に係る食器洗い機の回動洗浄ノズルの枢軸部を模式的に示す正面部分断面図である。
【図３】実施の形態１に係る食器洗い機の付勢部材を拡大して示す模式図である。
【図４】実施の形態１に係る食器洗い機の回動洗浄ノズルの回動を示す説明図である。
【図５】実施の形態２に係る食器洗い機の回動洗浄ノズルを模式的に示す右側面部分断面図である。
【図６】実施の形態２に係る食器洗い機の固定洗浄ノズルの軸支部を模式的に示す斜視図である。
【図７】実施の形態３に係る食器洗い機の回動洗浄ノズルを模式的に示す右側面部分断面図である。
【図８】実施の形態４に係る食器洗い機の枢軸部付近を示す模式図である。
【符号の説明】
【００６３】
１  筐体
２  洗浄槽
３  食器受具
５  固定洗浄ノズル
５ａ  軸支部
５ｂ  案内溝
５ｃ  傾斜面
５ｄ  突条
６  回動洗浄ノズル
６ａ  枢軸部
６ｂ  突条
６ｃ  傾斜部
６ｄ  案内溝
３０  付勢部材
３１  ローラ
３２  伝動部材
３３  モータ
【図１】
2008048970.tif 000003
【図２】
2008048970.tif 000004
【図３】
2008048970.tif 000005
【図４】
2008048970.tif 000006
【図５】
2008048970.tif 000007
【図６】
2008048970.tif 000008
【図７】
2008048970.tif 000009
【図８】
2008048970.tif 000010